(57)【要約】【課題】  電気炊飯器の内底部へのゴキブリの侵入・滞在を防止し得るようにする。【解決手段】  お椀形状の底部材１ｂと該底部材１ｂの外周縁に取り付けられる円筒形状の外ケース１ａと有底円筒形状の保護枠４と該保護枠４の上端部を前記外ケース１ａの上端部に結合する肩部材１ｃとからなる炊飯器本体１を備えた電気炊飯器において、前記底部材１ｂの内面に、ピレスロイド系のゴキブリ忌避剤Ｘを塗布するとともに、該底部材１ｂの外周縁部に、底部材１ｂ内部が閉鎖空間とならないように水平補強リブを形成しないようにして、底部材１ｂ内面へのゴキブリ等の不快害虫の侵入・滞在を効果的に防止することができるようにしている。【選択図】        図２
2010187985.tif 000002
【特許請求の範囲】
【請求項１】
お椀形状の底部材と該底部材の外周縁に取り付けられる円筒形状の外ケースと有底円筒形状の保護枠と該保護枠の上端部を前記外ケースの上端部に結合する肩部材とからなる炊飯器本体を備えた電気炊飯器であって、前記底部材の内面には、ピレスロイド系のゴキブリ忌避剤を塗布するとともに、該底部材の外周縁部には、底部材内部が閉鎖空間とならないように水平補強リブを形成しないようにしたことを特徴とする電気炊飯器。
【請求項２】
前記底部材には、冷却ファンを付設するとともに、該冷却ファンの空気吸込口には、前記ゴキブリ忌避剤を他の部位より単位面積当たりの塗布量が少なくなるように塗布したことを特徴とする請求項１記載の電気炊飯器。
【発明の詳細な説明】
【技術分野】
【０００１】
本願発明は、一般家庭、あるいは業務用に使用される電気炊飯器に関するものである。
【背景技術】
【０００２】
電気炊飯器は、従来から主に台所に配置されて使用されることとなっているが、台所は、常に食物や水があるため、ゴキブリ等の不快害虫が繁殖し易い環境にある。電気炊飯器には、内部を冷却する目的から開口部が多数存在しているため、その開口部からゴキブリが侵入し易くなっている。また、ゴキブリは、室温が２５℃〜３１℃の状態を好むため、特に、室温の低い冬季においては、電気炊飯器が通電状態にあると、電気炊飯器内部の雰囲気温度は上昇し、ゴキブリの好む室温２５℃〜３１℃とほぼ同等になる。
【０００３】
上記のような理由から、ゴキブリが繁殖している台所に設置された電気炊飯器の内部には、多くのゴキブリが侵入し、一旦内部に侵入したゴキブリはそのまま内部に滞在する傾向にある。
【０００４】
ところで、特許文献１には、ゴキブリが制御基板や操作基板とそれぞれに対応した基板ベースとの間に侵入できない構成をとることにより、ゴキブリによる基板パターン間のショートを未然に防止し得るようにした電気炊飯器が開示されている。
【先行技術文献】
【特許文献】
【０００５】
【特許文献１】特開２００６−５５５６４号公報
【発明の概要】
【発明が解決しようとする課題】
【０００６】
上記特許文献１に開示されている技術では、ゴキブリによる基板パターン間のショートを未然に防止することはできるが、ゴキブリは、通常、電気炊飯器の底部（即ち、底部材内）に侵入・滞在することが多く、これを防止することがゴキブリ対策として急務である。
【０００７】
本願発明は、上記の点に鑑みてなされたもので、電気炊飯器の内底部へのゴキブリの侵入・滞在を防止し得るようにすることを目的としている。
【課題を解決するための手段】
【０００８】
本願発明では、上記課題を解決するための第１の手段として、お椀形状の底部材と該底部材の外周縁に取り付けられる円筒形状の外ケースと有底円筒形状の保護枠と該保護枠の上端部を前記外ケースの上端部に結合する肩部材とからなる炊飯器本体を備えた電気炊飯器において、前記底部材の内面に、ピレスロイド系のゴキブリ忌避剤を塗布するとともに、該底部材の外周縁部に、底部材内部が閉鎖空間とならないように水平補強リブを形成しないようにしている。
【０００９】
上記のように構成したことにより、底部材の内面へのピレスロイド系のゴキブリ忌避剤の塗布により、底部材内面へのゴキブリ等の不快害虫の侵入・滞在を効果的に防止することができる。しかも、底部材内部が閉鎖空間とならないようにしたことにより、ゴキブリ等の不快害虫の棲家となる閉鎖空間が底部材内に形成されることがなくなり、底部材内でのゴキブリ等の不快害虫の繁殖を効果的に防止することができるとともに、ピレスロイド系のゴキブリ忌避剤の塗布時に液溜まりができにくくなり、塗布作業がし易くなる。
【００１０】
本願発明では、さらに、上記課題を解決するための第２の手段として、上記第１の手段を備えた電気炊飯器において、前記底部材に、冷却ファンを付設するとともに、該冷却ファンの空気吸込口に、前記ゴキブリ忌避剤を他の部位より単位面積当たりの塗布量が少なくなるように塗布することもでき、そのように構成した場合、冷却ファンにより送風される冷却風に含まれるゴキブリ忌避剤の濃度が低く抑えられることとなり、ゴキブリ忌避剤による悪影響を可及的に抑えることができる。
【発明の効果】
【００１１】
本願発明の第１の手段によれば、お椀形状の底部材と該底部材の外周縁に取り付けられる円筒形状の外ケースと有底円筒形状の保護枠と該保護枠の上端部を前記外ケースの上端部に結合する肩部材とからなる炊飯器本体を備えた電気炊飯器において、前記底部材の内面には、ピレスロイド系のゴキブリ忌避剤を塗布するとともに、該底部材の外周縁部には、底部材内部が閉鎖空間とならないように水平補強リブを形成しないようにして、底部材の内面へのピレスロイド系のゴキブリ忌避剤の塗布によって、底部材内面へのゴキブリ等の不快害虫の侵入・滞在を効果的に防止することができるという効果がある。しかも、底部材内部が閉鎖空間とならないようにしたことにより、ゴキブリ等の不快害虫の棲家となる閉鎖空間が底部材内に形成されることがなくなり、底部材内でのゴキブリ等の不快害虫の繁殖を効果的に防止することができるとともに、ピレスロイド系のゴキブリ忌避剤の塗布時に液溜まりができにくくなり、塗布作業がし易くなるという効果もある。
【００１２】
本願発明の第２の手段におけるように、上記第１の手段を備えた電気炊飯器において、前記底部材には、冷却ファンを付設するとともに、該冷却ファンの空気吸込口には、前記ゴキブリ忌避剤を他の部位より単位面積当たりの塗布量が少なくなるように塗布することもでき、そのように構成した場合、冷却ファンにより送風される冷却風に含まれるゴキブリ忌避剤の濃度が低く抑えられることとなり、ゴキブリ忌避剤による悪影響を可及的に抑えることができる。
【図面の簡単な説明】
【００１３】
【図１】本願発明の実施の形態にかかる電気炊飯器の縦断面図である。
【図２】本願発明の実施の形態にかかる電気炊飯器における底部材の平面図である。
【図３】従来の電気炊飯器における底部材の平面図である。
【図４】本願発明の実施の形態にかかる電気炊飯器における底部材の部分拡大断面図である。
【図５】本願発明の実施の形態にかかる電気炊飯器における炊飯器本体の底面図である。
【発明を実施するための形態】
【００１４】
以下、添付の図面を参照して、本願発明の好適な実施の形態について説明する。
【００１５】
この電気炊飯器は、図１に示すように、米と水とを収容する内鍋３を取出自在に収納し得るように構成され且つ空間部を有する二重構造の炊飯器本体１と、該炊飯器本体１の上部開口を開閉自在に覆蓋する蓋体２とを備えている。
【００１６】
前記炊飯器本体１は、外側壁を構成する円筒形状の板金製の外ケース１ａと、底壁を構成するお椀形状の合成樹脂製の底部材１ｂと、肩部を構成する合成樹脂製の肩部材１ｃと、内周壁を構成する合成樹脂製の有底円筒形状の保護枠４とからなっている。前記肩部材１ｃは、前記保護枠４の上端部を前記外ケース１ａの上端部に結合する環状部材からなっている。なお、前記保護枠４内には、前記内鍋３が取り出し可能に収納されることとなっている。
【００１７】
前記保護枠４の外周面側には、炊飯時における主加熱手段として作用する環状のメインＩＨコイルＣ1，Ｃ2が保護枠４の底面、該底面および側周面に至る間の湾曲部にそれぞれ対応して配設されている。該メインＩＨコイルＣ1，Ｃ2は、交番磁界（換言すれば、電磁波）を発生するものであり、該交番磁界の電磁誘導により前記内鍋３に誘導渦電流を発生させ、該誘導渦電流の抵抗熱を利用して加熱するものとされている。なお、内鍋３は、メインＩＨコイルＣ1，Ｃ2により誘導渦電流を発生させることのできる材質（例えば、磁性体材料）により構成される。符号５はコイルダイ、６は冷却ファン、７は断熱材、８は電源基板である。
【００１８】
また、前記内鍋３の側面部外方に対応する保護枠４には、保温ヒータ（図示省略）が配設されている。
【００１９】
一方、前記蓋体２は、外面を構成する合成樹脂製の上板９と、内面を構成するドーナツ形状の合成樹脂製の下板１０とによって構成されている。この蓋体２は、前記肩部材１ｃの一側に形成されたヒンジピン１１を介して炊飯器本体１に対して弧回動自在に取り付けられている。
【００２０】
前記蓋体２の下面には、熱良導体（例えば、アルミ合金）からなる円盤形状の放熱板１２が取り付けられており、該放熱板１２の上面には、蓋ヒータＨ1が設けられている。符号１３は蓋体２の下面に取り付けられた内蓋、１４は内蓋１３の周縁と内鍋３の開口部との間をシールするシールパッキン、１５は放熱板１２の周縁と内蓋１３との間をシールするシールパッキン、１６は蓋体２の閉止状態を保持するためのロック機構、１７は蓋体２の中央部に設けられた蒸気排出口である。
【００２１】
ところで、前記底部材１ｂ内には、ゴキブリ等の不快害虫が侵入・滞在し易い空間部が形成されることとなるところから、該底部材１ｂの内面には、ピレスロイド系のゴキブリ忌避剤Ｘが塗布される（図４参照）。このピレスロイド系のゴキブリ忌避剤Ｘは、通常アルコール系の溶剤に溶かして塗布され、塗布後にアルコール系溶剤が揮発して有効成分が残り、残効性を発揮することとなっている。
【００２２】
なお、従来の電気炊飯器における底部材１ｂの外周縁部には、図３に示すように、鉛直方向に延びる複数の縦補強リブ１８，１８・・が所定間隔で一体に形成されており、該縦補強リブ１８，１８・・の相互間には、水平方向に延びる水平補強リブ１９がそれぞれ一体に形成されている。このように構成することにより、底部材１ｂにおける外周縁部の撓みを抑制することとなっている。しかしながら、このような構成とすることにより、水平補強リブ１９の上方部分に閉鎖空間が形成されることとなるため、ゴキブリ等の不快害虫が侵入・滞在し易い環境が形成され易くなるとともに、ゴキブリ忌避剤Ｘを塗布したときに液溜まりが生じ易くなるおそれがある。
【００２３】
そこで、本実施の形態においては、図２に示すように、水平補強リブ１９の大部分を削除し、縦補強リブ１８の両側に補強用としてのみ作用する小さな水平補強リブ１９′を一体に形成するようにている。このようにすると、ゴキブリ等の不快害虫の棲家となる閉鎖空間が底部材１ｂ内に形成されることがなくなり、底部材１ｂ内でのゴキブリ等の不快害虫の繁殖を効果的に防止することができるとともに、ピレスロイド系のゴキブリ忌避剤Ｘの塗布時に液溜まりができにくくなり、塗布作業がし易くなる。
【００２４】
前記底部材１ｂにゴキブリ忌避剤Ｘを塗布する場合、底部材１ｂを成形した直後にゴキブリ忌避剤Ｘを塗布するのが望ましい。このようにすると、成形時の余熱により、溶剤の乾燥が促進されることとなる。また、この底部材１ｂは、ゴキブリ忌避剤Ｘが塗布され、溶剤が蒸発して乾燥した後に本体への組立作業を行うことが望ましい。
【００２５】
ところで、前記電源基板８は、炊飯器本体１内の空間部における前部側空間部において、縦方向に配設されており、前記底部材１ｂの内面側には、前記電源基板８の下端と対向する位置に前記冷却ファン６が配設されている。そして、前記底部材１ｂには、冷却ファン６の吸込側に位置して空気吸込口２０が形成されている。また、底部材１ｂにおいて前記空気吸込口２０の反対側には、空気排出口２１が形成されている。しかしながら、前記ピレスロイド系のゴキブリ忌避剤Ｘは、銅を腐食させるおそれがある。そこで、本実施の形態においては、底部材１ｂにおいて、前記空気吸込口２０を構成する部分には、前記ゴキブリ忌避剤Ｘの単位面積当たりの塗布量が他の部位より少なくなるようにゴキブリ忌避剤Ｘが塗布されている。このようにすると、冷却ファン６により送風される冷却風Ｗに含まれるゴキブリ忌避剤の濃度が低く抑えられることとなり、ゴキブリ忌避剤Ｘによる悪影響を可及的に抑えることができる。なお、前記空気吸込口２０を構成する部分には、ゴキブリ忌避剤Ｘを塗布しない場合もある。この場合、底部材１ｂ内面へのゴキブリ忌避剤Ｘの塗布時には、空気吸込口２０の形成部分にマスキングを実施すればよい。
【００２６】
さらに、空気吸込口２０の周りは、壁２２によって囲まれている。このようにすると、空気吸込口２０以外の部分に塗布されたゴキブリ忌避剤Ｘからの忌避剤成分を遮断することができる。なお、底部材１ｂにおいて、ゴキブリ忌避剤Ｘが塗布される部分には、銅を含まない金属部品（ネジ等）を使用するのが望ましい。
【００２７】
さらにまた、ＩＨコイルＣ1，Ｃ2も銅製であるので、ピレスロイド系のゴキブリ忌避剤Ｘの影響を受けるおそれがあるところから、本実施の形態においては、コイルダイ５は穴の無い形状としている（図５参照）が、ＩＨコイルＣ1，Ｃ2を樹脂によるインサート成形とすることもある。
【００２８】
本実施の形態においては、冷却ファン６からの冷却風Ｗは、電源基板８を冷却した後には保護枠４の側面上部を通り（即ち、ＩＨコイルに当たらない部位を通り）、底部材１ｂの後方側に形成された空気排出口２１から外部へ排出される構成となっている。また、本実施の形態においては、底部材１ｂの中央部（即ち、メインＩＨコイルＣ1と対向する部位には、銅以外の金属（例えば、アルミニウム合金等）からなる磁気遮蔽板２３が配設されている（図１参照）。このようにすると、メインＩＨコイルＣ1へのピレスロイド系のゴキブリ忌避剤Ｘの悪影響を防止できるとともに、磁界漏れも低減できる。さらに、外ケース１ａの内面は、摩擦抵抗の少ない金属面とされており、温度も底部より高くなっている。従って、ゴキブリ等の不快害虫が留まりにくい。
【００２９】
本願発明は、上記実施の形態に限定されるものではなく、発明の要旨を逸脱しない範囲において適宜設計変更可能なことは勿論である。
【符号の説明】
【００３０】
１は炊飯器本体
１ａは外ケース
１ｂは底部材
１ｃは肩部材
４は保護枠
Ｘはゴキブリ忌避剤
【図１】
2010187985.tif 000003
【図２】
2010187985.tif 000004
【図３】
2010187985.tif 000005
【図４】
2010187985.tif 000006
【図５】
2010187985.tif 000007